(57)【要約】【課題】  弾性変形可能な係止爪による固定手段の利点である良好な作業性を損なうことなく、外部から加えられる負荷に対しても基板を確実に固定できるようにする。【解決手段】  ケースカバー２０が被せられる合成樹脂製のケース本体１０を備え、ケース本体１０の内面には先端に鉤部１３１を有する弾性変形可能な係止爪１３が一体に立設されており、その係止爪１３により被固定物である基板Ｐをケース本体１０内に固定する基板固定装置において、ケースカバー２０の内周壁にケースカバー２０がケース本体１０に取り付けられたときに係止爪１３の背面に対向して配置され、係止爪１３の弾性変形量を基板Ｐが外れない範囲に押さえる爪押さえ手段（押えリブ）２３を設ける。【選択図】  図１
2005079236.tif 000002
【特許請求の範囲】
【請求項１】
ケースカバーが被せられる合成樹脂製のケース本体を備え、上記ケース本体の内面には先端に鉤部を有する弾性変形可能な係止爪が立設されており、上記係止爪により被固定物である基板を上記ケース本体内に固定する基板固定装置において、
上記ケースカバーの内周壁には、上記ケースカバーが上記ケース本体に取り付けられたときに上記係止爪の背面に対向して配置され、上記係止爪の弾性変形量を上記基板が外れない範囲に押さえる爪押さえ手段が設けられていることを特徴とする基板固定装置。
【請求項２】
上記爪押さえ手段は上記ケースカバーの内周壁に形成された押えリブからなる請求項１に記載の基板固定装置。
【請求項３】
上記爪押さえ手段は上記係止爪の少なくとも上記鉤部と対向する位置に設けられている請求項１または２に記載の基板固定装置。
【発明の詳細な説明】
【技術分野】
【０００１】
本発明は基板固定装置に関し、さらに詳しく言えば、ケース部材に対して液晶パネルや回路基板などの基板を固定する基板固定装置に関するものである。
【背景技術】
【０００２】
基板固定装置について液晶表示素子の分野を例にして説明すると、液晶パネルを外装ケースなどのケース部材に固定する方法としては、ネジ止め（例えば、特許文献１参照）、接着材（例えば、特許文献２参照）、係止爪（例えば、特許文献３参照）などが一般的に採用されている。
【０００３】
このうち、ネジ止めはもっとも固定の信頼性が高いが部品点数が増える、その締め付け作業に時間がかかる、基板への孔明け加工が必要、ケースにネジ受けボスを形成する必要がある、また固定に要するスペースが大きいなどの問題がある。
【０００４】
接着材（両面接着テープを含む）による場合には、ネジ止めに比べて全体的に手間はかからないが、温度や湿度などの環境の影響を受けやすいため信頼性に難があり、また、メンテナンス時には外しにくいという問題がある。
【０００５】
係止爪には金属片からなる捻り爪と合成樹脂製の弾性的な係止爪とがある。そのいずれも作業性やメンテナンス性はよいが、金属製捻り爪は特に繰り返しの捻りにより金属疲労が発生しやすいため、設計の事情の許す限りにおいては合成樹脂製の弾性的な係止爪が好ましいと言える。その一例を、図３の分解斜視図および図４の部分拡大断面図により説明する。
【０００６】
図３は、ケースカバー２０が被せられるケース本体１０内に、被固定基板である液晶パネルＰを固定する例を示している。ケース本体１０は合成樹脂材料から形成されており、ケース本体１０の内面１１には、所定厚みの側枠を有する支持フレーム１２が一体的に設けられている。なお、ケースカバー２０には表示窓２１が形成されている。
【０００７】
支持フレーム１２は、液晶パネルＰをケース本体１０から浮いた状態で支持するために設けられており、支持フレーム１２によって囲まれる空間１２１内には、液晶パネルＰの図示しないバックライトが配置されるようになっている。
【０００８】
また、支持フレーム１２の外側には、液晶パネルＰを固定するための弾性変形可能な一対の係止爪１３，１３が対向的に立設されている。各係止爪１３はケース本体１０と一体であって、図４に示すように、その先端（頭部）にほぼ逆Ｌ字状の鉤部１３１を備えている。
【０００９】
各係止爪１３の高さは、液晶パネルＰの上下方向のがたつきを防止するため、鉤部１３１と支持フレーム１２との間隔が液晶パネルＰの板厚とほぼ等しくなるように設定されている。また、鉤部１３１の上面には液晶パネルＰを係止爪１３，１３間に入れやすくするためのテーパ面１３２が形成されている。
【００１０】
この構成によれば、液晶パネルＰを鉤部１３１のテーパ面１３２の上から強制的に押し込むことにより係止爪１３，１３が一旦外側に広がり、液晶パネルＰが鉤部１３１を乗り越えた時点で係止爪１３，１３が元の位置に復帰するため、いわゆるワンタッチ的な作業で液晶パネルＰを固定できる。また、メンテナンスのため液晶パネルＰを取り外す必要があるときには、指などで係止爪１３，１３を外側に撓ませればよい。
【００１１】
ところで、液晶パネルＰが例えば車載用途である場合、あらゆる方向から振動や衝撃（負荷）が加えられる。上記の係止爪１３，１３によると、図４において上下方向から加えられる負荷に対しては強いが、係止爪１３，１３が弾性変形可能であるため水平方向から加えられる負荷に対しては弱い。すなわち、水平方向から過大な負荷が加えられると、図４の点線に示すように係止爪１３が撓んでしまい、液晶パネルＰ６が係止爪１３から外れてしまうことがある。
【００１２】
この問題を解消するには、一例として図５に示すように係止爪１３の背面１３４側（反支持フレーム側）に補強リブ１４を立てて係止爪１３の強度を高くする方法がある。しかしながら、このようにすると係止爪１３自体が硬くなるため、液晶パネルＰの挿入性が損なわれるという別の問題が生ずる。なお、このような問題は被固定物が例えば回路基板の場合でも同様に生ずる。
【００１３】
【特許文献１】特開２００３−１４０１１７号公報
【特許文献２】特開２００３−１２１８１５号公報
【特許文献３】特開２００１−１８３６３３号公報
【発明の開示】
【発明が解決しようとする課題】
【００１４】
したがって、本発明が解決しようとする課題は、弾性変形可能な係止爪による固定手段の利点である良好な作業性を損なうことなく、外部から加えられる負荷に対しても基板を確実に固定できるようにすることにある。
【課題を解決するための手段】
【００１５】
上記課題を解決するため、本発明は、ケースカバーが被せられる合成樹脂製のケース本体を備え、上記ケース本体の内面には先端に鉤部を有する弾性変形可能な係止爪が立設されており、上記係止爪により被固定物である基板を上記ケース本体内に固定する基板固定装置において、上記ケースカバーの内周壁には、上記ケースカバーが上記ケース本体に取り付けられたときに上記係止爪の背面に対向して配置され、上記係止爪の弾性変形量を上記基板が外れない範囲に押さえる爪押さえ手段が設けられていることを特徴としている。
【００１６】
本発明において、上記爪押さえ手段には上記係止爪と対向する上記ケースカバーの内周壁全体の肉厚を厚くする態様も含まれるが、上記ケースカバーの使用樹脂量の削減および成型のしやすさの観点からして、上記爪押さえ手段は上記ケースカバーの内周壁に形成された押えリブからなることが好ましい。
【００１７】
また、上記押えリブにしても、必ずしも上記係止爪の高さ範囲の全体にわたって形成する必要はなく、上記係止爪の少なくとも上記鉤部と対向する位置に設けられれば上記課題を解決できる。
【発明の効果】
【００１８】
本発明によれば、ケース本体からケースカバーを外した状態においては、係止爪は可能な限り弾性変形し得るため、従来例と同じく基板をワンタッチ的な作業で固定することができる。また、メンテナンス時においても、必要に応じて係止爪を広げることにより、基板の固定を解除することができる。これに対して、基板固定後にケースカバーをケース本体に被せることにより、ケースカバー側の爪押さえ手段によって係止爪の弾性変形量が基板が外れない範囲に制限されるため、外部からの大きな負荷が加えられたとしても基板が係止爪から外れることはない。
【発明を実施するための最良の形態】
【００１９】
次に、図１および図２を参照して本発明の実施形態について説明する。図１は本発明の基板固定装置の要部を拡大して示す断面図、図２は本発明の要部であるケースカバー側の押えリブを示す斜視図である。なお、この実施形態の説明において、先の図３および図４により説明した上記従来例と同一または同一と見なせる構成要素には同一の参照符号を用いる。
【００２０】
この実施形態においても、ケース部材に対する被固定物は液晶パネルＰであり、ケース部材は着脱可能なケースカバー２０を有するケース本体１０である。ケース本体１０は合成樹脂材料から形成されており、ケース本体１０の内面１１には所定厚みの側枠を有する支持フレーム１２が一体的に設けられている。
【００２１】
支持フレーム１２は、液晶パネルＰの裏面に図示しないバックライトを配置するための空間を確保するためのものであるが、本発明において、支持フレーム１２は任意的な構成要素である。すなわち、液晶パネルＰは図示しないバックライトに支持されてケース本体１０の内面１１上に配置されてもよいし、場合によってはじかに配置されてもよい。
【００２２】
支持フレーム１２の外側には係止爪１３が立設されている。図１には係止爪１３がひとつしか示されていないが、通常の設計においては、先の図３に示したのと同様に液晶パネルＰの対向する２辺を掴むように少なくとも一対が対向的に配置される。なお、液晶パネルＰの一方の片側を弾性変形しない所定の固定手段で支持し、それと対向する他方の片側を係止爪１３で固定する態様も本発明に含まれる。
【００２３】
係止爪１３はケース本体１０と一体であって、その先端（頭部）にほぼ逆Ｌ字状の鉤部１３１を備えている。この例においても、先に説明した従来例と同じく、各係止爪１３の高さは、液晶パネルＰの上下方向のがたつきを防止するため、鉤部１３１と支持フレーム１２との間隔が液晶パネルＰの板厚とほぼ等しくなるように設定されている。また、鉤部１３１の上面には液晶パネルＰを係止爪１３，１３間に入れやすくするためのテーパ面１３２が形成されていることが好ましい。
【００２４】
この構成によれば、液晶パネルＰを鉤部１３１のテーパ面１３２の上から強制的に押し込むことにより係止爪１３，１３が一旦外側に広がり、液晶パネルＰが鉤部１３１を乗り越えた時点で係止爪１３，１３が元の位置に復帰するため、いわゆるワンタッチ的な作業で液晶パネルＰを固定できる。
【００２５】
このようにして、液晶パネルＰを係止爪１３にて固定したのち、ケース本体１０にケースカバー２０が被せられるが、外部から加えられる負荷（振動や衝撃）によって液晶パネルＰが係止爪１３から外れないようにするため、本発明は、ケースカバー２０側に爪押さえ手段を備えている。
【００２６】
この爪押さえ手段は、係止爪１３の弾性変形量を液晶パネルＰが外れない範囲に制限する作用を有し、この例では、図２に示すようにケースカバー２０の内周壁２２に一体的に形成された押えリブ２３を爪押さえ手段として採用している。この押えリブ２３は、図１に示すようにケースカバー２０をケース本体１０に被せたときに、その突出面２３１が係止爪１３の背面に対して所定の間隔をもって対向する位置に配置される。
【００２７】
この場合、押えリブ２３と係止爪１３との間隔は、係止爪１３の高さ寸法や負荷が加えられた際の予測される弾性変形量によって適宜に設定されればよい。また、押えリブ２３の突出面２３１は係止爪１３が弾性変形したときに、係止爪１３の少なくとも鉤部１３１側と当接できる大きさに形成されればよい。
【００２８】
なお、押えリブ２３は係止爪１３に対応してケースカバー２０の内周壁２２に部分的に設けられるが、別の例として、押えリブ２３が設けられるケースカバー２０の内周壁２２の全体の肉厚を押えリブ２３の突出量だけ厚くする態様も本発明に含まれる。
【００２９】
本発明によれば、ケースカバー２０をケース本体１０に被せたときにのみ、押えリブ（爪押さえ手段）２３が係止爪１３に対して有効に作用する。したがって、液晶パネルＰをケース本体１０に固定する組立時、もしくはケースカバー２０を外して行うメンテナンス時には、弾性変形可能な係止爪１３による固定手段の利点である良好な作業性が損なわれることはない。
【００３０】
なお、上記実施形態において、押えリブ２３はほぼ薄板形状に形成されているが、押えリブ２３は必要最小限として係止爪１３の鉤部１３１側を押さえることができるものであればよく、その形状や大きさは特に限定されることはない。例えばボス状の突起であってもよい。
【産業上の利用可能性】
【００３１】
本発明は、上記実施形態のように、液晶パネルをケース本体に設けられている弾性変形可能な係止爪に固定させる場合のみならず、ケース本体がケースカバーを有しているものであるならば、その被固定物が回路基板などである場合にも広く適用することができる。
【図面の簡単な説明】
【００３２】
【図１】本発明の基板固定装置の要部を模式的に示す拡大断面図。
【図２】本発明の要部であるケースカバー側の押えリブを示す斜視図。
【図３】第１従来例に係る基板固定装置を示す分解斜視図。
【図４】上記第１従来例の部分拡大断面図。
【図５】第２従来例を示す部分拡大断面図。
【符号の説明】
【００３３】
１０  ケース本体
１２  支持フレーム
１３  係止爪
１３１  鉤部
１３２  テーパ面
２０  ケースカバー
２１  表示窓
２２  内周壁
２３  押えリブ
【図１】
2005079236.tif 000003
【図２】
2005079236.tif 000004
【図３】
2005079236.tif 000005
【図４】
2005079236.tif 000006
【図５】
2005079236.tif 000007